(57)【要約】【課題】この発明は、かご上機器に悪影響を及ぼすことなく、かごの昇降時の音鳴りの発生を抑制できるエレベータのかご上手摺装置を得る。【解決手段】かご上手摺装置１０は、奥行き方向に離間して配置された一対の縦柱１３及び一対の縦柱１３の先端部間を連結する上手摺１４を対とし、保守点検時には、かご上部の両側部に沿って起立状態に保持され、通常時には、縦柱１３の根元部を中心に内側に傾倒して、互いに干渉しない位置に倒伏状態に保持される右手摺部１１及び左手摺部１２と、かご上枠６の前梁６ｃ及び後梁に固定され、各縦柱１３の根元部を回動可能に支持して、倒伏状態の右手摺部１１及び左手摺部１２をかご上機器９より上方位置に嵩上げする嵩上げ台２４と、各縦柱１３の先端側に取り付けられ、通常時に前梁６ｃ及び後梁に当接して右手摺部１１及び左手摺部１２を倒伏状態に保持する前脚部１７及び後脚部２２と、を備えている。【選択図】図８
2015009907.tif 000002
【特許請求の範囲】
【請求項１】
奥行き方向に離間して配置された一対の縦柱および上記一対の縦柱の先端部間を連結して奥行き方向に配置された手摺を対とし、保守点検時には、かご上部の間口方向の両側部に沿って起立状態に保持され、通常時には、上記一対の縦柱の根元部を中心に内側に傾倒して、互いに干渉しない位置に倒伏状態に保持される一対の手摺部と、
上記かご上部に固定され、上記一対の手摺部の上記縦柱のそれぞれの根元部を回動可能に支持して、倒伏状態の上記一対の手摺部をかご上機器より上方位置に嵩上げする嵩上げ台と、
上記一対の手摺部の上記縦柱のそれぞれの先端側に取り付けられ、通常時に上記かご上部に当接して上記一対の手摺部を倒伏状態に保持する脚部と、
を備えていることを特徴とするエレベータのかご上手摺装置。
【請求項２】
上記一対の手摺部の奥行き方向の前側の上記縦柱に取り付けられる上記脚部は、一端側を回動可能に上記縦柱の先端側に取り付けられ、起立状態では、自重により回動して上記縦柱に沿って配置され、上記縦柱の傾倒過程では、自重により回動して垂下状態を維持するように構成されていることを特徴とする請求項１記載のエレベータのかご上手摺装置。
【請求項３】
上記一対の手摺部の奥行き方向の前側の上記縦柱に取り付けられる上記脚部は、上記縦柱の先端側に回動可能に取り付けられる取付部と、一端を上記取付部に連結され、長さ方向と直交する他端面を上記かご上部との当接面とする脚部材と、を備え、上記縦柱の傾倒過程で、上記脚部材の長手方向が鉛直方向を向くように回動するように構成されていることを特徴とする請求項２記載のエレベータのかご上手摺装置。
【請求項４】
上記一対の手摺部の奥行き方向の後側の上記縦柱に取り付けられる上記脚部は、上記縦柱の先端側に固定されて、上記縦柱から直角に突出していることを特徴とする請求項２又は請求項３記載のエレベータのかご上手摺装置。
【請求項５】
すでに据付済の上記一対の手摺部の奥行き方向の前側の上記縦柱に、現地穴あけ加工をすることにより、上記脚部を後付けすることを特徴とする請求項２又は請求項３記載のエレベータのかご上手摺装置。
【発明の詳細な説明】
【技術分野】
【０００１】
この発明は、エレベータの保守点検作業時に、かごの上部に起立されるとともに、不要時にかごの上部に折り畳まれて収納されるエレベータのかご上手摺装置に関するものである。
【背景技術】
【０００２】
従来のエレベータのかご上手摺装置は、手摺および手摺を支持する縦柱を有する手摺装置と、かごの上部に設けられ、縦柱の下端部が回動自在に連結された連結部と、を備えていた（例えば、特許文献１参照）。
【先行技術文献】
【特許文献】
【０００３】
【特許文献１】国際公開第２００７／０３２０８０号パンフレット
【発明の概要】
【発明が解決しようとする課題】
【０００４】
従来のエレベータのかご上手摺装置では、収納状態の手摺装置は、縦柱の下端部に連結された連結部を中心に回動してかご上枠上に水平に配置されるようになっている。そこで、かご上機器が配置されている場合には、手摺装置は、連結部を中心に回動する過程で、手摺装置の一部がかご上機器と当たり、先端側が浮いた状態で収納されることになり、かご上機器に悪影響を及ぼしたり、かごの昇降時に手摺装置の先端側が揺れて音鳴りが発生するという不具合があった。
【０００５】
本発明は、このような課題を解決するためになされたものであり、かご上機器との干渉を回避して、かつ手摺部の先端側を脚部を介してかご上部に支持させて手摺部を倒伏状態にかご上部に収納し、かご上機器に悪影響を及ぼすことなく、かごの昇降時の音鳴りの発生を抑制できるエレベータのかご上手摺装置を得ることを目的とする。
【課題を解決するための手段】
【０００６】
本発明に係るエレベータのかご上手摺装置は、奥行き方向に離間して配置された一対の縦柱および上記一対の縦柱の先端部間を連結して奥行き方向に配置された手摺を対とし、保守点検時には、かご上部の間口方向の両側部に沿って起立状態に保持され、通常時には、上記一対の縦柱の根元部を中心に内側に傾倒して、互いに干渉しない位置に倒伏状態に保持される一対の手摺部と、上記かご上部に固定され、上記一対の手摺部の上記縦柱のそれぞれの根元部を回動可能に支持して、倒伏状態の上記一対の手摺部をかご上機器より上方位置に嵩上げする嵩上げ台と、上記一対の手摺部の上記縦柱のそれぞれの先端側に取り付けられ、通常時に上記かご上部に当接して上記一対の手摺部を倒伏状態に保持する脚部と、を備えている。
【発明の効果】
【０００７】
本発明によれば、倒伏状態の一対の手摺部を嵩上げ台によりかご上機器より上方位置に嵩上げしているので、かご上機器に干渉されることなく手摺部を倒伏状態に傾倒できる。そこで、倒伏状態の手摺部がかご上機器に当たってかご上機器に悪影響を及ぼすことはない。
縦柱のそれぞれの先端側に取り付けられた脚部が、かご上部に当接して手摺部を倒伏状態に保持するので、手摺部が両持ち支持され、かごの昇降時に先端側が揺れることに起因する音鳴りの発生が抑えられる。
【図面の簡単な説明】
【０００８】
【図１】この発明の実施の形態１に係るエレベータのかご上手摺装置を示す側面図である。
【図２】この発明の実施の形態１に係るエレベータのかご上手摺装置を示す正面図である。
【図３】この発明の実施の形態１に係るエレベータのかご上手摺装置を示す上面図である。
【図４】この発明の実施の形態１に係るエレベータのかご上手摺装置に適用される脚部を示す斜視図である。
【図５】この発明の実施の形態１に係るエレベータのかご上手摺装置における連結部の構成を説明する図である。
【図６】この発明の実施の形態１に係るエレベータのかご上手摺装置における脚部の動作を説明する図である。
【図７】この発明の実施の形態１に係るエレベータのかご上手摺装置における縦柱の傾倒動作を説明する図である。
【図８】この発明の実施の形態１に係るエレベータのかご上手摺装置における手摺部の傾倒動作を説明する正面図である。
【図９】この発明の実施の形態２に係るエレベータのかご上手摺装置に適用される脚部を示す斜視図である。
【発明を実施するための形態】
【０００９】
以下、本発明のエレベータのかご上手摺装置の好適な実施の形態について図面を用いて説明する。
【００１０】
実施の形態１．
図１はこの発明の実施の形態１に係るエレベータのかご上手摺装置を示す側面図、図２はこの発明の実施の形態１に係るエレベータのかご上手摺装置を示す正面図、図３はこの発明の実施の形態１に係るエレベータのかご上手摺装置を示す上面図、図４はこの発明の実施の形態１に係るエレベータのかご上手摺装置に適用される脚部を示す斜視図である。図５はこの発明の実施の形態１に係るエレベータのかご上手摺装置における連結部の構成を説明する図であり、図５の（ａ）は正面図、図５の（ｂ）は背面図、図５の（ｃ）は側面図である。図６はこの発明の実施の形態１に係るエレベータのかご上手摺装置における脚部の動作を説明する図であり、図６の（ａ）は起立状態を示し、図６の（ｂ）は傾倒の過渡状態を示し、図６の（ｃ）は収納直前の状態を示している。図７はこの発明の実施の形態１に係るエレベータのかご上手摺装置における縦柱の傾倒動作を説明する図であり、図７の（ａ）は傾倒開始直前の状態を示し、図７の（ｂ）は傾倒の過渡状態を示し、図７の（ｃ）は収納状態を示している。図８はこの発明の実施の形態１に係るエレベータのかご上手摺装置における手摺部の傾倒動作を説明する正面図である。
【００１１】
図１から図３において、エレベータのかご１は、かご室２と、かご枠３と、から構成されている。かご枠３は、かご室２の下方に配置されてかご室２を支持するかご下枠４と、それぞれ、下端部をかご下枠４に固定されてかご室２の間口方向の両側に上下方向に延びるように配置された、横断面が略コ字状のかご縦枠５と、かご室２の上面より上方に配置されてかご縦枠５間を連結するかご上枠６と、を備える。また、かご出入り口を開閉する戸８を駆動する戸駆動装置７が、かご上枠６のかご出入り口側に配設され、かご上機器９が、かご室２の上面に設置されている。さらに、保守作業時に使用されるかご上手摺装置１０が、かご１の上部に設置されている。
【００１２】
かご上枠６は、それぞれ、中間部をかご縦枠５の上端部に固定されて奥行き方向に配置された側梁６ａ，６ｂと、側梁６ａ，６ｂの前端部間に間口方向に配置されて側梁６ａ，６ｂの前端部間を連結する前梁６ｃと、側梁６ａ，６ｂの後端部間に間口方向に配置されて側梁６ａ，６ｂの後端部間を連結する後梁６ｄと、を備え、全体として、略四角枠状に構成されている。側梁６ａ，６ｂ、前梁６ｃ、後梁６ｄは、それぞれ、角パイプで構成され、前梁６ｃおよび後梁６ｄの両端部が、側梁６ａ，６ｂに溶接接合されている。
【００１３】
つぎに、かご上手摺装置１０の構成について説明する。かご上手摺装置１０は、昇降路頂部の省スペース化を実現するために、折り畳み可能に構成されており、図１から図３では、かご上手摺装置１０が保守点検時に組み立てられてかご１の上部に起立された状態（以下、起立状態という）を示している。
【００１４】
かご上手摺装置１０は、かご１の出入り口側から見てかご１の上部の右側および左側に配置される右手摺部１１および左手摺部１２と、右手摺部１１および左手摺部１２をそれぞれ嵩上げする嵩上げ台２４と、を備える。
【００１５】
右手摺部１１および左手摺部１２は、それぞれ、かご１の奥行き方向の前側および後側に互いに平行に配置される２本の縦柱１３と、２本の縦柱１３の先端部に溶接接合され、奥行き方向に配置されて両縦柱１３の先端部を連結する上手摺１４と、２本の縦柱１３の中間部に溶接接合され、上手摺１４と平行に奥行き方向に配置された下手摺１５と、上手摺１４および下手摺１５の中間部に溶接接合されて、縦柱１３と平行に配置された補強部材１６と、を備える。ここで、縦柱１３、上手摺１４、下手摺１５および補強部材１６は、それぞれ、角パイプで構成される。また、奥行き方向の前側および後側に配置される縦柱１３間の間隔は、かご上枠６の前梁６ｃと後梁６ｄとの間隔に一致している。
【００１６】
前脚部１７は、図４に示されるように、角パイプで構成される脚部材１８と、それぞれ、鋼板をＬ字状の平板に作製され、Ｌ字状の一片を脚部材１８の一端部の相対する壁部の外面に溶接接合されて、Ｌ字状の他片が相対して脚部材１８の長手方向に対して直角に突出するように配置された一対の取付部１９と、を備える。また、一対の取付部１９のＬ字状の他片には、貫通穴２０が同軸に形成されている。この前脚部１７は、一対の取付部１９のＬ字状の他片間に縦柱１３を挟み込み、軸方向を水平方向とするピン２１を貫通穴２０に通して縦柱１３を貫通させ、右手摺部１１および左手摺部１２の奥行き方向の前側に配置される縦柱１３の先端側にピン２１周りに回動可能に、かつ脚部材１８が相対するように取り付けられる。脚部材１８の他端面が、脚部材１８の長さ方向と直交し、かつ面一に構成され、かご上枠の前梁の上面に当接する当接面となる。
【００１７】
このように取り付けられた前脚部１７は、縦柱１３（右手摺部１１および左手摺部１２）が起立状態の時には、図６の（ａ）に示されるように、自重によりピン２１を回動中心として時計回りに回動し、脚部材１８が縦柱１３の側面に接して縦柱１３に沿った状態に保持される。縦柱１３が傾倒すると、前脚部１７は、図６の（ｂ）に示されるように、自重によりピン２１を回動中心として反時計回りに回動し、縦柱１３から離反する。さらに、縦柱１３が自重によりピン２１を回動中心として反時計回りに回動し、起立状態から９０度傾倒すると、縦柱１３は、図６の（ｃ）に示されるように、略水平な倒伏状態となる。この縦柱１３の傾倒過程では、前脚部１７は垂下状態を維持してピン２１周りに回動する。
【００１８】
後脚部２２は、角パイプで構成され、起立状態の右手摺部１１および左手摺部１２の奥行き方向の後側に配置される縦柱１３の相対する側面の先端側に一端部を溶接接合され、両縦柱１３に長手方向に対して直角に突出するように取り付けられる。後脚部２２の他端面が、後脚部２２の長さ方向と直交し、かつ面一に構成され、かご上枠の後梁の上面に当接する当接面となる。
さらに、座金２３が、前梁６ｃの上面に取りつけられ、右手摺部１１および左手摺部１２が折り畳まれて倒伏状態になったときに、前脚部１７の他端部と係合し、前脚部１７のぐらつきを防いでいる。
【００１９】
嵩上げ台２４は、それぞれ、角パイプで構成され、下端部を側梁６ａ，６ｂの上面の奥行き方向の前側および後側に溶接接合されて、上下方向に延びる起立状態に取り付けられている。嵩上げ台２４は、それぞれ、前梁６ｃおよび後梁６ｄの間口方向外方に位置している。また、嵩上げ台２４は、上端がかご１の上部に配設されたかご上機器９の上面より上方に位置する長さに形成されている。
【００２０】
連結金具２５は、図５に示されるように、鋼板をコ字状に曲げ成形して作製され、各嵩上げ台２４の上端に溶接接合され、奥行き方向の前側に位置する両嵩上げ台２４、および後側に位置する両嵩上げ台２４にコ字状の開口が相対するように取り付けられている。長穴２６が、穴の長軸を上下方向に一致させて、連結金具２５のコ字状の相対する両側片に形成されている。さらに、Ｕ字穴２７が、連結金具２５のコ字状の相対する両側片の上端側を切り欠いて、長穴２６の長軸方向の上方に位置するように形成されている。
【００２１】
上段ピン２８と下段ピン２９が、軸方向を縦柱１３の長手方向と直交させ、かつ長手方向に離間して、各縦柱１３の根元部の前側側面と後側側面から突出するように取り付けられている。
そして、縦柱１３は、下段ピン２９をコ字状の相対する両側片に形成された長穴２６に通し、上段ピン２８をコ字状の相対する両側片に形成されたＵ字穴２７に通して、根元部を連結金具２５に取り付けられる。
【００２２】
このように取り付けられた縦柱１３は、図５の（ｃ）に示されるように、下段ピン２９が長穴２６に通され、上段ピン２８がＵ字穴２７に通されて、下段ピン２９周りの回動が阻止される。また、縦柱１３は、図７の（ａ）に示されるように、下段ピン２９が係合された長穴２６に案内されて縦柱１３を上方に移動させて上段ピン２８がＵ字穴２７から抜けた状態では、下段ピン２９周りに回動可能となる。そこで、Ｕ字穴２７および上段ピン２８が縦柱１３の回動を規制する規制部を構成する。
【００２３】
ここで、前脚部１７は、奥行き方向の前側の縦柱１３に形成された貫通穴（図示せず）に通されたピン２１周りに回動可能に取り付けられている。当該貫通穴は、かご上手摺装置１０の工場出荷時に縦柱１３にあけられてもよいが、かご上手摺装置１０を設置する現地にて、右手摺部１１や左手摺部１２を据え付けた後、その縦柱１３に当該貫通穴をあけて、前脚部１７を取り付けてもよい。この場合、かご室２の上面におけるかご上機器９の設置状況に応じて、縦柱１３にあける貫通穴の穴位置を調整できるので、右手摺部１１や左手摺部１２の倒伏時や起立時に、前脚部１７とかご上機器９との干渉を回避することができる。
【００２４】
このように構成されたかご上手摺装置１０では、図１から図３に示されるように、右手摺部１１および左手摺部１２が、かご１の上部の右側と左側に起立状態で奥行き方向に配置される。このとき、図５に示されるように、下段ピン２９が長穴２６に通され、上段ピン２８がＵ字穴２７に通されて、縦柱１３の下段ピン２９周りの回動が阻止される。前脚部１７は、前側の両縦柱１３に沿って上下方向に配置される。後脚部２２は、後側の両縦柱１３の先端側から間口方向に内側に突出している。そこで、保守作業員は乗り場からかご１の上部に乗り移り、かご上機器９の保守点検作業を行う。
【００２５】
保守点検作業が終了すると、保守作業員は、右手摺部１１を上方に持ち上げ、図７の（ａ）に示されるように、上段ピン２８をＵ字穴２７から抜く。ついで、右手摺部１１を内側（左手摺部１２側）に傾倒させる。そこで、縦柱１３は、図７の（ｂ）に示されるように、下段ピン２９周りに回動する。同時に、前脚部１７が、図６の（ｂ）に示されるように、ピン２１周りに回動する。そして、縦柱１３が起立状態から９０度近くまで傾倒すると、脚部材１８の他端角部が前梁６ｃの上面に当たる。縦柱１３がさらに傾倒すると、縦柱１３の傾倒に伴って、前脚部１７は、脚部材１８の長手方向が鉛直方向となるように姿勢を変える。そして、図７の（ｃ）に示されるように、縦柱１３が起立状態から９０度まで傾倒すると、脚部材１８の長手方向が鉛直方向となり、脚部材１８の当接面が前梁６ｃの上面に当接する。同時に、後脚部２２の当接面が後梁６ｄの上面に当接する。これにより、右手摺部１１は、嵩上げ台２４、前脚部１７および後脚部２２を介してかご上枠６に支持され、倒伏状態に保持されて収納される。
【００２６】
ついで、保守作業員は、同様に、左手摺部１２を上方に持ち上げ、内側（右手摺部１１側）に傾倒させて、左手摺部１２を嵩上げ台２４、前脚部１７および後脚部２２を介してかご上枠６に支持させ、左手摺部１２が、右手摺部１１と干渉しない位置に、倒伏状態に保持されて収納される。これにより、右手摺部１１および左手摺部１２が、かご１の内側に傾倒して、互いに干渉しないように倒伏状態に保持され、かご１の上部に収納される。ここで、右手摺部１１および左手摺部１２は、嵩上げ台２４によりかご上機器９より上方の位置に嵩上げされているので、かご上機器９との干渉が回避される。
【００２７】
なお、保守点検作業時には、上述の収納時の手順と逆の手順によって、かご上手摺装置１０を組み立てて起立状態とすることになる。
このように、かご上手摺装置１０は、図８に示されるように、右手摺部１１と左手摺部１２が、縦柱１３の根元部を中心に回動して、かご１の上部の間口方向の両側部に沿って起立状態に保持される組立状態と、かご１の上部に、互いに干渉しない位置に倒伏状態に保持される収納位置との間を移動可能に構成されている。なお、図８中、傾倒過渡状態の縦柱が二点鎖線で示されている。
【００２８】
この実施の形態１によれば、右手摺部１１および左手摺部１２は、嵩上げ台２４によりかご上機器９より上方の位置に嵩上げされているので、かご上機器９に干渉されることなく倒伏状態に収納することができる。そこで、収納された右手摺部１１および左手摺部１２がかご上機器９に悪影響を及ぼすことはない。
【００２９】
収納された右手摺部１１および左手摺部１２は、根元部が嵩上げ台２４を介してかご上枠６に支持され、先端側が前脚部１７および後脚部２２を介してかご上枠６に支持されるので、かご１の運行時に、右手摺部１１および左手摺部１２の先端側の振動に起因する音鳴りの発生を防ぐことができる。
【００３０】
前脚部１７は、ピン２１周りに回動可能に縦柱１３に取り付けられ、自重により回動して、起立状態では側面に沿って上下方向に配置され、傾倒過程では垂下状態を維持するように構成されている。そこで、保守点検時に、前脚部１７を縦柱１３に沿うように固定し、保守点検終了時に、前脚部１７の縦柱１３との固定を解除するような作業が不要となり、保守点検の作業性が向上する。
【００３１】
起立状態では、前脚部１７が縦柱１３の側面に沿って上下方向に配置されるように構成されているので、保守点検作業時に、前脚部１７が右手摺部１１および左手摺部１２の前側の縦柱１３から間口方向に突出せず、保守作業員のかご１の上部への乗り降りが容易となる。
後脚部２２が縦柱１３の先端側から直角に突出するように固定されているので、後脚部２２が右手摺部１１および左手摺部１２の後側の縦柱１３から間口方向に突出して後側手摺として機能する。そこで、保守作業員のかご１の上部での保守作業が容易となる。
【００３２】
座金２３が収納状態の右手摺部１１および左手摺部１２の前脚部１７の脚部材１８の他端部に係合し、前脚部１７のぐらつきを防止しているので、右手摺部１１および左手摺部１２の先端側の振動を確実に防止できる。
【００３３】
なお、上記実施の形態１では、前脚部が縦柱の傾倒にともなって自重により回動可能に構成されているが、締着手段を用いて、縦柱の起立状態では、前脚部を縦柱に沿って上下方向に配置した状態に締着固定し、縦柱の倒伏状態では、前脚部を縦柱から直角に突出する状態に締着固定できるようにしてもよい。
【００３４】
実施の形態２．
図９はこの発明の実施の形態２に係るエレベータのかご上手摺装置に適用される脚部を示す斜視図である。
【００３５】
図９において、前脚部３０は、２枚の矩形平板状の鋼板３１を縦柱１３の奥行き方向の幅より僅かに大きな間隔だけ離間させて平行に配列し、平行に配列された２枚の鋼板３１の一端側を鋼板３１の幅方向一側で連結板３２により連結して作製されている。貫通穴３６が、平行に配列された２枚の鋼板３１の連結板３２による連結部の一端側に同軸に形成されている。この前脚部３０の連結板３２による連結部の一端側が取付部３４を構成し、他端側が脚部材３５を構成する。そして、平行に配列された２枚の鋼板３１の他端面が脚部材３５の長さ方向と直交し、かつ面一に構成され、かご上枠の前梁の上面に当接する当接面となる。また、姿勢調整部材３３が、平行に配列された２枚の鋼板３１の他端側に取り付けられ、前脚部３０が貫通穴３６に通されたピン２１により縦柱１３に回動可能に取り付けられた際に、脚部材３５の長さ方向が鉛直方向に一致するように前脚部３０の重心位置が調整されている。
なお、実施の形態２は、前脚部１７に替えて前脚部３０を用いている点を除いて、上記実施の形態１と同様に構成されている。
【００３６】
このように構成された前脚部３０は、図示していないが、平行に配列された２枚の鋼板３１間の一端側に右手摺部および左手摺部の前側の縦柱１３を挟み込み、軸方向を水平方向とするピン２１を貫通穴３６に通して縦柱１３を貫通させ、縦柱１３の先端側にピン２１周りに回動可能に取り付けられる。
【００３７】
そして、縦柱１３が起立状態の時は、前脚部３０は、平行に配列された２枚の鋼板３１間に縦柱１３を挟み込むように自重によりピン２１周りに回動し、縦柱１３に沿って上下方向に配置される。そして、縦柱１３の傾倒過程では、前脚部３０は、自重によりピン２１周りに回動し、２枚の鋼板３１（脚部材３５）の長さ方向が鉛直方向に一致する垂下姿勢を維持する。縦柱１３が９０度傾倒すると、脚部材３５の当接面が前梁の上面に当接し、倒伏状態に保持される。
【００３８】
したがって、この実施の形態２においても、上記実施の形態１と同様の効果を奏する。
この実施の形態２によれば、脚部材３５の長さ方向が鉛直方向に一致するように前脚部３０の重心位置が調整されているので、縦柱１３の傾倒過程では、前脚部３０の脚部材３５の長さ方向が鉛直方向に一致する垂下姿勢を維持し、前脚部３０の脚部材３５の当接面がかご上枠の前梁の上面と平行となる。そこで、傾倒動作時に、前脚部３０の脚部材３５の位置を調整することなく、縦柱１３を９０度傾倒させるだけで、脚部材３５の当接面をかご上枠の前梁の上面にガタツキ無く載置できる。
【００３９】
なお、上記各実施の形態では、嵩上げ台がかご枠の上枠に取り付けられているが、嵩上げ台はかご室の上面に取り付けてもよい。この場合、収納時に、脚部がかご室の上面に当接するようにすればよい。
【符号の説明】
【００４０】
１  かご、９  かご上機器、１０  かご上手摺装置、１１  右手摺部、１２  左手摺部、１３  縦柱、１４  上手摺、１７  前脚部、２２  後脚部、３０  前脚部、３４  取付部、３５  脚部材。
【図１】
2015009907.tif 000003
【図２】
2015009907.tif 000004
【図３】
2015009907.tif 000005
【図４】
2015009907.tif 000006
【図５】
2015009907.tif 000007
【図６】
2015009907.tif 000008
【図７】
2015009907.tif 000009
【図８】
2015009907.tif 000010
【図９】
2015009907.tif 000011